(57)【要約】【課題】海苔製造ラインの幅方向を小さくできる、乾海苔を方向転換して搬送する乾海苔方向転換コンベヤ及びこのコンベヤを組み込んでラインの幅を小さくした乾海苔製造ラインを提供する。【解決手段】乾海苔の搬送方向を転換する無端円弧状の搬送ベルト１０がその搬送ベルト１０の両端に配置された円錐形ローラ１１に移動自在に支持され、搬送ベルト１０には乾海苔を吸引して保持する複数の空気吸引孔１２が搬送方向に設けられ、搬送ベルト１０の裏面には円錐形ローラ１１の間に吸引ファンに配管１４で接続された、空気吸引孔１２から空気を吸引する吸引ダクト１３が配置されている乾海苔方向転換コンベヤ。【選択図】図２
2005255315.tif 000002
【特許請求の範囲】
【請求項１】
乾海苔の搬送方向を転換する無端円弧状の搬送ベルトがその搬送ベルトの両端に配置された円錐形ローラに移動自在に支持され、前記搬送ベルトには乾海苔を吸引して保持する複数の空気吸引孔が搬送方向に設けられ、搬送ベルトの裏面には前記円錐形ローラの間に吸引ファンに配管で接続された、前記空気吸引孔から空気を吸引する吸引ダクトが配置されていることを特徴とする乾海苔方向転換コンベヤ。
【請求項２】
前記配管に、空気吸引力を蓋の開閉度により調整する吸引力調整孔が設けられていることを特徴とする請求項１記載の乾海苔方向転換コンベヤ。
【請求項３】
前記無端円弧状の搬送ベルトの乾海苔搬入側及び乾海苔搬出側に立ベルト付きコンベヤが配置され、前記立ベルト付きコンベヤは水平コンベヤの両側のそれぞれに立ベルトが対向して配置され、立ベルトの間隔が乾海苔の搬入側に向かって末広がりに形成され次いで搬出側に平行に形成されていることを特徴とする請求項１又は２記載の乾海苔方向転換コンベヤ。
【請求項４】
海苔乾燥装置から表側を上にして搬出された乾海苔が未乾燥検出装置、海苔汚れ排除装置、異物形状選別装置、不揃い排出装置、折曲装置、結束装置へと順次搬送されて乾海苔束が搬出される乾海苔製造ラインにおいて、
海苔乾燥装置の搬出コンベヤに請求項１、２又は３記載の乾海苔方向転換コンベヤが接続されていることを特徴とする乾海苔製造ライン。
【発明の詳細な説明】
【技術分野】
【０００１】
本発明は、海苔乾燥装置から搬出された乾海苔を方向転換する乾海苔の方向転換コンベヤ及びこのコンベヤを組み込んだ乾海苔製造ラインに関する。
【背景技術】
【０００２】
海苔製造ラインでは、生海苔と水とを混合して所定の大きさ及び重量に抄き、海苔乾燥装置で乾燥させ、乾海苔が海苔乾燥装置の搬出コンベヤから１枚づつ搬出され、搬出された乾海苔は搬送コンベヤで次工程へ搬送される（特許文献１参照）。
【０００３】
図４は従来の海苔製造工程のレイアウトを示し、海苔乾燥装置から乾海苔が表側を上にして搬出されるラインのレイアウト図である。
【０００４】
図４に示す海苔製造工程のレイアウトにおいては、海苔乾燥装置１の搬出コンベヤ１ａから表側（表面が滑らかな面側）を上にして搬出された乾海苔は、未乾燥検出装置４を経た後、海苔汚れ排除装置５、異物形状選別装置６へ搬送し、９０度方向転換して不揃い排出装置７、折曲装置８、結束装置９へと順次搬送されて海苔束が搬出される。
【特許文献１】特公平３−３９９３９号号公報
【発明の開示】
【発明が解決しようとする課題】
【０００５】
海苔の生産業者は、海苔の採取から乾海苔の製造までを行う個人業者が大半で、島や大都市に近い漁場では土地や資金の制約を受けて生産工場の建屋も狭い。一方で、海苔の生産量を上げるために海苔乾燥装置が大型化している。そのため、例えば、海苔乾燥装置から海苔が表側を上にして搬出される場合には、方向転換のために反転装置は使用出来ず、表側を上の状態でそのまま搬送して異物形状選別装置で選別後、約９０度方向転換をする配置となる。しかしながら、大型化した海苔乾燥装置を導入した製造ラインの新設あるいは大型化した海苔乾燥装置を交換して搬出量に適合するようにする場合、図４の一点鎖線で示すように、海苔乾燥装置の幅が大きくなり、且つ生産工場の幅Ｗが狭いことから、従来のレイアウトでは長い異物形状選別装置を置くだけで一杯となり、異物形状選別装置の前工程の未乾燥検出装置や海苔汚れ排除装置を設置する場所がなくなり、建家の壁の幅Ｗ内に収めることができなくなるという問題が生じてきた。
【０００６】
このように既設の狭い建家内では、大型化した海苔乾燥装置を導入しようとした場合、海苔乾燥装置や次工程の装置の配置に支障をきたしている。
【０００７】
そこで、本発明は、海苔製造ラインの幅方向を小さくできる、乾海苔を方向転換して搬送する乾海苔乾海苔方向転換コンベヤ及びこのコンベヤを組み込んでラインの幅を小さくした乾海苔製造ラインを提供するものである。
【課題を解決するための手段】
【０００８】
本発明の乾海苔方向転換コンベヤは、乾海苔の搬送方向を転換する無端円弧状の搬送ベルトがその搬送ベルトの両端に配置された円錐形ローラに移動自在に支持され、前記搬送ベルトには乾海苔を吸引して保持する複数の空気吸引孔が搬送方向に設けられ、搬送ベルトの裏面には前記円錐形ローラの間に吸引ファンに配管で接続された、前記空気吸引孔から空気を吸引する吸引ダクトが配置されていることを特徴とする。
【０００９】
前記配管に、空気吸引力を蓋の開閉度により調整する吸引力調整孔を設けることができる。また、前記無端円弧状の搬送ベルトの乾海苔搬入側及び乾海苔搬出側に立ベルト付きコンベヤを配置し、前記立ベルト付きコンベヤは水平コンベヤの両側のそれぞれに立ベルトを対向して配置し、立ベルトの間隔を乾海苔の搬入側に向かって末広がりに形成し次いで搬出側に平行に形成することができる。
【００１０】
また、本発明は、海苔乾燥装置から表側を上にして搬出された乾海苔が未乾燥検出装置、海苔汚れ排除装置、異物形状選別装置、不揃い排出装置、折曲装置、結束装置へと順次搬送されて乾海苔束が搬出される乾海苔製造ラインにおいて、海苔乾燥装置の搬出コンベヤに前記乾海苔方向転換コンベヤが接続されていることを特徴とする。
【発明の効果】
【００１１】
本発明の乾海苔方向転換コンベヤでは、乾海苔を吸引力により搬送ベルトに保持するので、速い速度で搬送しても遠心力によってコンベヤから外側へ飛び出させることなく方向転換させることができる。
【００１２】
また、本発明の乾海苔製造ラインでは、乾海苔方向転換コンベヤを組み込むことによりラインの幅を小さくできるので、海苔乾燥装置の大型化により従来の乾海苔製造ラインでは配置できなかった場所に配置可能となった。
【発明を実施するための最良の形態】
【００１３】
図１は本発明の乾海苔方向転換コンベヤを適用した海苔製造工程のレイアウト図である。
【００１４】
図１において、海苔乾燥装置１から表側を上にして搬出コンベヤ１ａにより搬出された乾海苔は、立ベルト付きコンベヤ２により斜めに向いた乾海苔を搬送方向へ揃えながら搬送し、次いで乾海苔方向転換コンベヤ３により約９０度方向転換されながら搬送し、方向転換された乾海苔を立ベルト付きコンベヤ２により斜めに向いた乾海苔は搬送方向へ揃えて搬出し、次の搬送ベルトに移し換えて搬送し、未乾燥検出装置４、海苔汚れ排除装置５、異物形状選別装置６、不揃い排出装置７、折曲装置８、結束装置９へと順次搬送して乾海苔束が搬出される。本発明では、乾海苔方向転換コンベヤ３を適用することにより、海苔乾燥装置１が大型化しても乾海苔製造ラインを従来の乾海苔製造ラインが配置されていた建家の壁の幅Ｗ内に治めることが可能となる。
【００１５】
図２は本発明の乾海苔方向転換コンベヤ３を示し、（ａ）は平面図、（ｂ）は側面図、（ｃ）は（ａ）のＡ−Ａ断面のダクト部分の断面図である。
【００１６】
図２において、乾海苔方向転換コンベヤ３には中心角が約９０度前後の扇形をした無端円弧状の搬送ベルト１０が、この搬送ベルト１０の両端に配置された円錐形ローラ１１に移動自在に支持されている。円錐形ローラ１１により搬送ベルト１０の外周側が内周側より早く移動して乾海苔を搬送しながら搬送方向の向きを方向転換させる。
【００１７】
乾海苔方向転換コンベヤ３の搬送ベルト１０の速度は、海苔乾燥装置の大型化から乾海苔の搬出量（約６０００〜１００００枚／時間）が増加した現在、この搬出量に追随させるために乾海苔方向転換コンベヤ３の速度を可変速モータ１０ａにより０．６〜１ｍ／秒の速い速度にしなければならない。ところが海苔乾燥装置から搬出される乾海苔を前記の速い速度で移動する円弧状の搬送ベルト１０上に載せて搬送しようとすると、乾海苔は軽い（約３ｇ）ので遠心力で外側へ飛ばされ、次工程へ搬送することができない。
【００１８】
そこで本発明は、乾海苔が遠心力で外側へ飛ばされるのを防止するため、乾海苔方向転換コンベヤ３の搬送ベルト１０に乾海苔を保持する手段として乾海苔を吸引して搬送ベルト上に保持するための空気吸引孔１２を形成する。搬送ベルトに形成する空気吸引孔１２は搬送ベルトのセンターライン上に搬送方向に沿って等間隔に形成する。
【００１９】
搬送ベルト１０の裏面には、両側の円錐形ローラ１１の間に空気吸引孔１２から乾海苔を吸引するための吸引ダクト１３が設けられ、吸引ダクト１３内は配管１４により吸引ファン（図示せず）と接続されて吸引される。配管１４の途中には、蓋１５の開閉度により空気吸引力を調整する吸引力調整孔１６を形成する。
【００２０】
搬送ベルト１０に設けた空気吸引孔１２により乾海苔を吸着しつつ搬送する。両側の円錐形ローラ１１上では乾海苔に吸着力が作用しないので、乾海苔方向転換コンベヤ３の搬入側、搬出側で乾海苔は容易に搬入されあるいは搬出される。
【００２１】
図３（ａ）は乾海苔方向転換コンベヤの搬入側及び搬出側に配置する立ベルト付きコンベヤの側面図、（ｂ）は平面図である。
【００２２】
図３において、水平コンベヤ１７の両側に立ちコンベヤの立ベルト１８がそれぞれ配置されている。対向する立ベルト１８の間隔は、乾海苔の搬入側に向かって末広がりに形成され、次いで排出側に平行に形成されている。傾いて搬入された乾海苔は、立ベルト１８の末広がりの搬入側から搬入され、乾海苔の角が立ベルトにあたって案内され、水平コンベヤ１７の搬送方向に沿って揃えられて乾海苔方向転換コンベヤへ搬送される。
【００２３】
乾海苔方向転換コンベヤの搬出側においても、乾海苔方向転換コンベヤから傾いて搬出された乾海苔は、立ベルト１８の末広がりの搬入側から搬入され、乾海苔の角が立ベルト１８にあたって案内され、水平コンベヤ１７の搬送方向に沿って揃えられて次の搬送コンベヤに移し換えられる。
【図面の簡単な説明】
【００２４】
【図１】本発明の乾海苔方向転換コンベヤを適用した海苔製造工程のレイアウト図である。
【図２】本発明の乾海苔方向転換コンベヤを示し、（ａ）は平面図、（ｂ）は側面図、（ｃ）は（ａ）のＡ−Ａ断面のダクト部分の断面図である。
【図３】（ａ）は乾海苔方向転換コンベヤの搬入側及び搬出側に配置する立ベルト付きコンベヤの側面図、（ｂ）は平面図である。
【図４】従来の海苔製造工程のレイアウト図である。
【符号の説明】
【００２５】
１：海苔乾燥装置
１ａ：搬出コンベヤ
２：立ベルト付きコンベヤ
３：乾海苔方向転換コンベヤ
４：未乾燥検出装置
５：海苔汚れ排除装置
６：異物形状選別装置
７：不揃い排出装置
８：折曲装置
９：結束装置
１０：搬送ベルト
１０ａ：可変速モータ
１１：円錐形ローラ
１２：空気吸引孔
１３：吸引ダクト
１４：配管
１５：蓋
１６：吸引力調整孔
１７：水平コンベヤ
１８：立ベルト
【図１】
2005255315.tif 000003
【図２】
2005255315.tif 000004
【図３】
2005255315.tif 000005
【図４】
2005255315.tif 000006